(57)【要約】  製造コストの低減化および管理の簡便化が可能であり、使用時に内部を適温まで加温することができ、加熱終了後には、加温器を本体から取り外しできる精子採取器を提供する。  挿入孔を有する本体と、本体に取付けられる加温器とを有する精子採取器において、加温器は、本体の挿入孔の入り口側を塞ぐように挿入され、その内部の液体を保持する筒状部材を有するキャップ部と、本体を加熱する発熱剤を用いる加熱ユニットとを有し、本体から取り外し可能となっている。
2017046903.tif 000002
【特許請求の範囲】
【請求項１】
挿入孔を有する本体と、前記本体に取付けられる加温器とを有する精子採取器において、
前記加温器は、前記本体の挿入孔の入り口側を塞ぐように挿入され、その内部の液体を保持する筒状部材を有するキャップ部と、前記本体を加熱する発熱剤を用いる加熱ユニットとを有し、前記本体から取り外し可能となっていることを特徴とする精子採取器。
【請求項２】
請求項１に記載の精子採取器において、
前記加熱ユニットは、前記キャップ部の筒状部材の中に収容された前記発熱剤と、前記キャップ部の外側から操作されたとき、前記発熱剤に発熱作用を開始させる発熱開始手段とを有することを特徴とする精子採取器。
【請求項３】
請求項１また２に記載の精子採取器において、
前記筒状部材は、中空部を有し、先端にその中空部を外部に連通させる小孔を有し、その小孔と前記中空部の長手方向中間部とに前記中空部を密閉する先端フィルムおよび中間フィルムが設けてあり、前記中空部内に水が収容されているとともに、前記先端フィルムと前記中間フィルムの間を延び、かつ先端が前記小孔から突出可能なニードルが前記筒状部材の長手方向に移動可能に収容されていることを特徴とする精子採取器。
【請求項４】
請求項３に記載の精子採取器において、
前記筒状部材の小孔は、その筒状部材の先端部から下方に突出する筒部材により形成され、前記ニードルは、その先端部付近に有するフランジが前記筒部材の下端面に当たって前記ニードルが前記筒状部材の長手方向に移動される前は前記先端の小孔からの突出が阻止されていることを特徴とする精子採取器。
【請求項５】
請求項３に記載の精子採取器において、
前記発熱開始手段は、前記キャップ部の内側面に密着して前記筒状部材の軸方向に滑動可能に備えられたスライダーを有し、
そのスライダーは、カップ部と、そのカップ部の中央に突設された発熱剤保持部とを有して、その発熱剤保持部に前記発熱剤が収容されており、
前記スライダーを押して前記筒状部材の方向に移動させたときは、前記発熱剤保持部が前記中間フィルムを破断して、前記筒状部材内の水を前記スライダーのカップ部に流下させて前記発熱剤との水和反応を開始させるとともに、前記発熱剤保持部が前記ニードルを移動させてそのニードルにより前記先端フィルムを破断して、水和反応により発生する水蒸気を前記小孔から前記本体の挿入孔の中に噴出させることを特徴とする精子採取器。
【請求項６】
請求項３に記載の精子採取器において、
前記発熱開始手段は、前記キャップ部の収容空間に前記キャップ部の内側面に密着して前記筒状部材の軸方向に滑動可能に備えられたスライダーと、そのスライダーよりも外側において前記キャップ部の底面から突出しない位置と突出した位置との間を移動可能で、かつ、突出された状態で回転すると、前記スライダーに対して移動不能になり、移動不能になった状態で前記スライダー方向に押されると、前記スライダーを前記筒状部材の方向に滑動させるプッシャ―とで構成されていることを特徴とする精子採取器。
【請求項７】
請求項５または６に記載の精子採取器において、
前記スライダーの発熱剤保持部は、通水性を有する円筒状に形成され、前記スライダーが前記筒状部材の方向に滑動されたとき、前記筒状部材内から流下する水に前記発熱剤保持部を通過させて前記発熱剤保持部に保持されている前記発熱剤と発熱反応をさせることを特徴とする精子採取器。
【発明の詳細な説明】
【技術分野】
【０００１】
本発明は、精子採取器に関する。
【背景技術】
【０００２】
医学的な研究や治療上の必要から、男性の精子を採取するための精子採取器が種々提案されている。たとえば、夫婦間の不妊の原因を究明するために採取した精子から夫の性機能を検査したり、性機能障害を治療したり、人工授精のための精子を確保する等の医学的な必要性のために精子採取器が使用される。さらに、この種の精子採取器の中には、個人的な性的欲求を解消させることを通じて性犯罪の予防や買春の防止を図るため、および性感染症感染者数の減少等の種々の社会的なニーズを満たすために、低廉に入手することができ、しかも使い捨てタイプとすることで、衛生上、健康上の問題も惹起しない簡易な精子採取器が存在している。【０００３】
たとえば、特許文献１には、所要の硬度と肉厚を有するプラスチック製の円筒状の容器本体内に、内部に深い凹部空間を有するゲル状の合成樹脂製（スチレン系熱可塑性エラストマー）の内装材を設け、その内装材の内面には凹部空間に突出した複数の小突起および襞状部を設けると共に、上記内装材の周囲を覆うようにウレタン樹脂からなる外装材を設けた精子採取器が提案されている。この精子採取器は、容器本体内に収納された内装材の凹部空間内に、男性器が挿入される構成とされ、挿入した状態で、容器本体を把持して、男性器摺擦のための往復操作を行うように構成されている。【０００４】
また、本出願人は、特許文献１〜５において、容器本体内にゲル状樹脂製のコア部材を収容した精子採取器を提案した。 しかし、ゲル状樹脂製のコア部材は外気温度と同等の内部温度を有しているため、外気温度が低い場合、特に、コア部材の内部温度が使用者の体温よりも例えば１５〜２０℃以上低い場合には、男性器挿入時に体温を奪われることによる違和感、不快感が強くなり、使用感が悪化したり、男性器が萎縮したりするという不具合が発生する。【０００５】
このような不具合を解消するために、初期には、ヒーターを用いて精子採取器、特にコア部材を外側から加温して体温に近づける方法、たとえば、使用前に湯に浸漬して加温したり、赤外線ヒーターや電子レンジで加温したりすることが行われていた。しかし、この加温方法は、過熱して高温状態となったり、あるいは使用時には熱が低下してしまったりするという保温上の問題があった。【０００６】
このように、精子採取器は、熱伝導性の低い樹脂製の容器本体内にコア部材を固定した構成を有しているため、容器本体の外部からの加温によってコア部材内部を適正温度に加温することは容易でなかった。また、このような加温方法では、加温に長時間を要したり、過熱状態となったりすることによる安全性上の問題も惹起しかねない状況にあった。【０００７】
本出願人は、上記の点に鑑み、プラスチック製容器本体内にゲル状樹脂製コア部材を収容してキャップにより封止したタイプの精子採取器において、コア部材を内部から集中的に、かつ適正温度に加温することにより、短時間で、しかも安全に体温に近い温度に昇温させて使用感を常に良好に維持することができる精子採取器の加温具を提案した（特許文献６参照）。【０００８】
その加温具は、加温手段である電熱ユニットを収容した加温具本体から上方に突出する凸状加温部材を有し、平面上に静置できるベース台座と、そのベース台座の凸状加温部材を挿入して被覆する筒状凸部の下部周囲にフランジ部を有する中カバーと、その中カバーの筒状凸部に嵌合してこれを隠蔽するとともに、下端部が中カバーのフランジ部に嵌合される外カバーとを有するものである。そして、加温具を使用するときは、電熱ユニットの電源コードに設けたプラグをコンセントに差し込み、外カバーをベース台座から取り外してから、露出された中カバーの筒状凸部を精子採取器のコア部材の挿入口内に挿入する。次いで、精子採取器に装着した状態の中カバーの底面側の開口にベース台座の凸状加温部材を差し込み、さらに、コア部材の先端面をフランジ部と密着させた状態とする。そして、スイッチをオンして電熱ユニットによる加温を開始する。 加温開始後、所定時間が経過した場合には、精子採取器を中カバーから取外し、精子採取器の挿入口を上向きにしつつ中カバーを抜き取る。中カバーを抜き取った後の挿入口に指を差し込んで内部温度が適温であることを確認した後で、精子採取器が使用可能な状態となる。【０００９】
しかしながら、上記従来の加温器は、精子採取器から独立した物であるので、第１に加温器を精子採取器とは別に管理する手間が要る。第２に加温器は、ベース台座と、中カバーと、外カバーの３部品からなるので、部品数が多く製造コストが高い。第３に加温手段として電熱ユニットを用いるので、使用時に電源コードに設けたプラグをコンセントに差し込む手間がかかるとともに、使用場所が限られる。第４に使用時は、精子採取器のキャップの取り外し、加温器の外カバーのベース台座からの取り外し、中カバーの筒状凸部の精子採取器のコア部材挿入口への挿入、中カバーの底面側の開口へのベース台座の凸状加温部材の差し込み、そして、スイッチのオン操作という数多くの操作を経て、加温を開始するので、使用時の準備作業工程数が多く、面倒であり、時間がかかる。
【先行技術文献】
【特許文献】
【００１０】
【特許文献１】実用新案登録第３０７６６２７号公報
【特許文献２】ＷＯ２００６／１３２１２５号公報
【特許文献３】特開２００６−３３４１７６号公報
【特許文献４】特開２００６−３４０８７０号公報
【特許文献５】特開２００６−３４０８７１号公報
【特許文献６】特開２０１０−１４２５７７号公報
【発明の概要】
【発明が解決しようとする課題】
【００１１】
本発明は、上記従来技術の問題を解決するためになされたものである。すなわち、製造コストの低減化および管理の簡便化が可能であり、使用時に内部を適温まで加温することができ、加熱終了後には、加温器を本体から取り外しできる精子採取器を提供することを目的とする。
【課題を解決するための手段】
【００１２】
本発明は、上記目的を達成するため、挿入孔を有する本体と、その本体に取付けられる加温器とを有する精子採取器において、加温器は、本体の挿入孔の入り口側を塞ぐように挿入され、その内部の液体を保持する筒状部材を有するキャップ部と、本体を加熱する発熱剤を用いる加熱ユニットとを有し、本体から取り外し可能となっていることを特徴とする。【００１３】
上記加熱ユニットは、キャップ部の筒状部材の中に収容された発熱剤と、キャップ部の外側から操作されたとき、発熱剤に発熱作用を開始させる発熱開始手段とを有することが好ましい。【００１４】
上記筒状部材は、中空部を有し、先端にその中空部を外部に連通させる小孔を有し、その小孔と中空部の長手方向中間部とに中空部を密閉する先端フィルムおよび中間フィルムが設けてあり、中空部内に水が収容されているとともに、先端フィルムと中間フィルムの間を延び、かつ先端が前記小孔から突出可能なニードルが筒状部材の長手方向に移動可能に収容されていることが好ましい。【００１５】
また、上記筒状部材の小孔は、その筒状部材の先端部から下方に突出する筒部材により形成され、前記ニードルは、その先端部付近に有するフランジが前記筒部材の下端面に当たって、前記ニードルが筒状部材の長手方向に移動される前は前記先端の小孔からの突出が阻止されていることが好ましい。【００１６】
前記発熱開始手段は、キャップ部の内側面に密着して筒状部材の軸方向に滑動可能に備えられたスライダーを有し、そのスライダーは、カップ部と、そのカップ部の中央に突設された発熱剤保持部とを有して、その発熱剤保持部に発熱剤が収容されており、スライダーを押して筒状部材の方向に移動させたときは、発熱剤保持部が中間フィルムを破断して、筒状部材内の水をスライダーのカップ部に流下させて発熱剤との水和反応を開始させるとともに、発熱剤保持部が前記ニードルを移動させてそのニードルにより先端フィルムを破断して、水和反応により発生する水蒸気を前記小孔から本体の挿入孔の中に噴出させることが好ましい。【００１７】
また、前記発熱開始手段は、キャップ部の収容空間にキャップ部の内側面に密着して筒状部材の軸方向に滑動可能に備えられたスライダーと、そのスライダーよりも外側において前記キャップ部の底面から突出しない位置と突出した位置との間を移動可能で、かつ、突出された状態で回転すると、スライダーに対して移動不能になり、移動不能になった状態でスライダー方向に押されると、スライダーを筒状部材の方向に滑動させるプッシャ―とで構成することもできる。【００１８】
前記スライダーの発熱剤保持部は、通水性を有する円筒状に形成され、スライダーが筒状部材の方向に滑動されたとき、筒状部材内から流下する水に発熱剤保持部を通過させて発熱剤保持部に保持されている発熱剤と発熱反応をさせることが好ましい。
【発明の効果】
【００１９】
本発明によれば、本体に加温器が一体化されているので、製造コストの低減が可能であるとともに、保管・使用に便利な精子採取器を提供することができる。また、本体の内部を加温することができる。さらに、たとえば、加熱終了後には、加温器を本体から取り外し、加温された本体を精子の採取に使用することができる。
【図面の簡単な説明】
【００２０】
【図１】本発明の第１の実施の形態に係る精子採取器の未使用状態における縦断面図である。
【図２】本発明の第１の実施の形態に係る精子採取器の加温器の分解斜視図である。
【図３】本発明の第２の実施の形態に係る精子採取器の未使用状態における縦断面図である。
【図４】本発明の第２の実施の形態に係る精子採取器の加温器の分解斜視図である。
【図５】図３の精子採取器のプッシャ―を引いた状態における縦断面図である。
【図６】図３の精子採取器のプッシャ―を押し込んだ状態における縦断面図である。
【図７】図３のスライダーの孔とプッシャ―の押し上げ部材の形状と位置関係を示す図である。
【図８】図３のスライダーの孔とプッシャ―の押し上げ部材の作用を説明する図である。
【発明の実施の形態】
【００２１】
続いて、本発明の一実施の形態について、図面を参照しながら詳細に説明する。なお、説明に当っては、図１および図４の上方を「上」または「上方」とし、下方を「下」または「下方」として説明する。
【００２２】
[第１の実施の形態]
図１および図２に示すように、本発明の第１の実施の形態に係る精子採取器Ｔは、本体１０と、本体１０に一体的に組み合わされた加温器２０とを有する。本体１０は、図１の上部に示されるカバー部１１と、その内側に設けられた外層部１２と、さらにその内側に設けられた内層部１３とを有する。カバー部１１は、薄い硬質合成樹脂で成形され、深いカップ状となっている。外層部１２は、カバー部１１の内側に設けられ、厚肉カップ状の通気性のある柔軟な断熱材、たとえばウレタンフォームで形成されている。内層部１３は、外層部１２の内側に設けられ、超柔軟性を有する材料、たとえばエラストマーで有底円筒状に成形され、中央に柔らかい襞付きの内壁１３ａを備えている。この内壁１３ａは細長い挿入孔１３ｂを形成している。通常、挿入孔１３ｂの少なくとも入口およびその外周面には、潤滑ローションなどが塗られている。
【００２３】
加温器２０は、キャップ部２１と、そのキャップ部２１の内側に設けられた加熱ユニット２２を有する。キャップ部２１は、ほぼ円筒状で、外周壁２１ａと、その外周壁２１ａの内側に設けられた内周壁２１ｂを有する。外周壁２１ａは、内周壁２１ｂの上端部よりも若干上方に延長されていて、その延長端部は本体１０のカバー部１１の下端部の外周に弾力的に嵌合されている。この構成によって、加温器２０は、本体１０に対して着脱可能である。
【００２４】
キャップ部２１の中には、内周壁２１ｂにより囲まれ下方に開口する収容区間２１ｃが形成されていて、その収容区間２１ｃに加熱ユニット２２が備えられている。加熱ユニット２２は、中央上方に伸びる筒状部材２３と、その筒状部材２３の内側に収容された発熱剤２４と、筒状部材２３の下方に配置された発熱開始手段２５とを有する。筒状部材２３は、内周壁２１ｂからキャップ部２１の中心軸に沿った一方向に延び、かつキャップ部２１が本体１０に装着されたときに挿入孔１３ｂの中に挿入されるものである。発熱剤２４は、筒状部材２３の中に収容され、水を供給されて発熱する部材である。発熱開始手段２５は、収容空間２１ｃに収容され、キャップ部２１の外側から操作されるようになっている。この操作が行われたとき、発熱剤２４は水和反応を開始する。
【００２５】
筒状部材２３は、内周壁２１ｂの上部内周面から立ち上がる円筒形状の基部２３ａと、その基部２３ａの上端部からキャップ部２１の上端部とほぼ等しい高さまで立ち上がる、基部２３ａよりもやや細い円筒形状の中間部２３ｂと、その中間部２３ｂの上端部から立ち上がる、中間部２３ｂよりもやや細い円筒形状の挿入部２３ｃとを一体に有する。筒状部材２３は、基部２３ａの内周側空間から挿入部２３ｃの内周側空間まで連通し、かつ、キャップ部２１の収容空間２１ｃに連通する中空部２３ｄを有する。挿入部２３ｃの先端には、挿入部２３ｃの内部側に設けられる中空部を外部に連通させる小孔２３ｅが短い筒２３ｆにより形成されている。
【００２６】
そして、挿入部２３ｃの先端の円柱状の小孔２３ｅは、円形の先端フィルム２６ａにより密閉され、挿入部２３ｃの下端部、すなわち、中間部２３ｂの上端部には挿入部２３ｃの中空部を密閉する円形の中間フィルム２６ｂが設けられている。挿入部２３ｃの中、すなわち、中空部２３ｄの一部には、水２７が収容されているとともに、ニードル２８が昇降可能に収容されている。先端フィルム２６ａおよび中間フィルム２６ｂは、密着力がよく、かつ、容易に破断できるもの、たとえば、アルミニウムフィルムが好適である。
【００２７】
ニードル２８は、先端フィルム２６ａから中間フィルム２６ｂまでの距離とほぼ等しい長さを有している。ニードル２８の上端部２８ａ（図２参照）は、挿入部２３ｃの先端の小孔２３ｅに軸方向に移動可能に挿入され、上端部２８ａと小孔２３ｅの内周壁との間に微小な隙間が残されている。また、上端部２８ａには、先端から下端方向に小孔２３ｅの長さよりも短い距離だけ離れた位置に、小孔２３ｅの内径よりもわずかに大きい外径を有する極薄のフランジ２８ｂ（図２参照）が設けられている。そして、加温器２０が本体１０に組み込まれたときには、上端部２８ａは挿入部２３ｃの中空部から小孔２３ｅに挿入されるが、上端部２８ａの上端は先端フィルム２６ａとの間に隙間がある状態となっている。加熱ユニット２２の発熱操作が行われた時は、フランジ２８ｂが小孔２３ｅを形成している円筒状の筒２３ｆの先端に当って、ニードル２８が筒状部材２３の先端方向へ大きく移動することを阻止されている。
【００２８】
ニードル２８の上端部２８ａから下側部分には、ニードル２８の下端部まで延長する３枚または４枚の羽根２８ｃが備えられている。羽根２８ｃは、下方に行くほど幅広とされている。３枚または４枚の羽根２８ｃを備えるのは、挿入部２３ｃ内に収容されている水の流下を妨げないためと、ニードル２８の上下移動の安定性を高めるためである。そして、ニードル２８の下端部には、挿入部２３ｃの下端部の内径よりもわずかに小さい外径を有する受圧部材２８ｄが設けられている。受圧部材２８ｄは、後に詳述するスライダー２９が押し上げられた時にスライダー２９から力を受け易くし、かつ、挿入部２３ｃ内に収容されている水２７の流下を妨げない形状構造、たとえば、孔付き円板または円形網体で形成されている。
【００２９】
発熱開始手段２５は、使用者により操作されたときに、先端フィルム２６ａと中間フィルム２６ｂを破断し、挿入部２３ｃ内に収容されている水２７を流下させ、収容空間２１ｃに収容されている発熱剤２４と混合させて発熱反応を開始させるものである。
【００３０】
そのような機能を有する発熱開始手段２５の一例を説明する。図示された発熱開始手段２５は、収容空間２１ｃにキャップ部２１の円筒状の内周壁２１ｂの内側面に密着して筒状部材２３の軸方向に滑動可能に備えられたスライダー２９を有する。スライダー２９は、図２に示すように、皿形状のカップ部２９ａと、そのカップ部２９ａの中央に突設された発熱剤保持部２９ｂとを有する。カップ部２９ａは、中心側部２９ａ１と、外周側部２９ａ２とを有し、外周側部２９ａ２は両者の境部２９ａ３で発熱剤保持部２９ｂにより近づくように折れ曲がっている。このような構成にすることで、スライダー２９が本体１０に近づくときに、カップ部２９ａが図１の形状を保ちながら基部２３ａを摺動していくようにしている。発熱剤保持部２９ｂは、上方に開口された筒状に形成され、その上方の開口から発熱剤２４が入れられ、収容されている。
【００３１】
発熱剤２４は、酸化カルシウム(消石灰）粉末とアルミニウム粉末および添加剤を主成分とするもの、あるいは、酸化カルシウム粉末のみであり、取り扱いを容易にするため、不織布のパックに充填されている。
【００３２】
スライダー２９の発熱剤保持部２９ｂは、周面にスリット（または通水孔）を１つまたは複数有している。スライダー２９が押し上げられたとき、中間フィルム２６ｂが破断され、挿入部２３ｃから流下する水は発熱剤保持部２９ｂの通水孔を通過して、発熱剤保持部２９ｂに保持されている発熱剤２４と混じるようになっている。
【００３３】
スライダー２９を押して筒状部材２３の方向に移動させたときは、発熱剤保持部２９ｂの上端部が中間フィルム２６ｂを破断し、さらに挿入部２３ｃの中に入り込んでニードル２８の受圧部材２８ｄを押し上げるため、ニードル２８の上端部２８ａが挿入部２３ｃの小孔２３ｅから上方に突出し、その際に先端フィルム２６ａを破断する。中間フィルム２６ｂの破断により、筒状部材２３内の水２７がスライダー２９のカップ部２９ａに流下し、発熱剤２４との水和反応が開始する。また、先端フィルム２６ａの破断により、水和反応により発生する高温の水蒸気が挿入部２３ｃの先端の小孔２３ｅから本体１０の挿入孔１３ｂの中に噴出することができる。
【００３４】
発熱剤２４と水２７が混じると、瞬時に発熱が開始する。室温２５℃前後においては、４分後には約４５℃になる。発熱作用を開始させるための動作は、スライダー２９を押し上げるだけの単純動作であり、発熱剤２４と水２７の混合速度が常に一定である。したがって、どの使用者がいつ使用する場合も、ほぼ一定の時間で所定温度まで内層部１３を加温することができる。
【００３５】
内層部１３は、挿入孔１３ｂに挿入された挿入部２３ｃ内の熱せられた水や水蒸気からの伝導熱と、挿入孔１３ｂの中に噴出された水蒸気による対流熱により加温されるので、加熱効率が高く、比較的短時間に所要温度に達することができる。また、内層部１３がエラストマーで作られている場合は、熱容量が大きいので、また、内層部１３は断熱性の高い外層部１２に被覆されているので、加温終了後の適温保持時間を長くすることができる。したがって、使用中に内層部１３が体温よりも低温になってしまうことを避けることができる。さらに、挿入孔１３ｂの中に噴出された水蒸気により内壁１３ａに付着した水滴は、内壁１３ａの潤滑性を高める効果がある。
【００３６】
[第２の実施の形態]
上記第１の実施の形態の場合は、精子採取器Ｔの使用時に、本体１０を持って底部のスライダー２９を押し上げる必要があるので、作業性に優れない。そこで、本発明の好ましい第２の実施の形態（図３〜図８参照）においては、発熱開始手段２５の構成を使用者がより扱いやすいものとした。以下では、第１の実施の形態と同じ部材には同じ符号を使用し、説明を簡略化するため省略する。
【００３７】
発熱開始手段２５は、第１の実施の形態のスライダー２９に加え、プッシャ―３０と下面フィルム３１を有する。発熱開始手段２５は、図３〜図６に示すように、筒状部材２３の軸方向に滑動可能に備えられたスライダー２９と、スライダー２９の下方に備えられたプッシャ―３０と、プッシャ―３０の下方に配置された下面フィルム３１とを有する。プッシャ―３０は、スライダー２９よりも外側（スライダー２９の筒状部材２３と反対側）においてキャップ部２１の底面から突出しない位置と突出した位置との間を移動可能で、かつ、突出された状態で回転すると、スライダー２９に対して移動不能になり、移動不能になった状態でスライダー２９と本体１０が近づく方向に押されると、スライダー２９を筒状部材２３の方向に滑動させる機能を有する。
【００３８】
スライダー２９には、第１の実施の形態と異なり、底部に水平板状の受け部材２９ｃが設けられる。受け部材２９ｃの外周面はキャップ部２１の内周壁２１ｂの内面に滑動可能に当接されている。また、受け部材２９ｃの中心と受け部材２９ｃの外周との間に、受け部材２９ｃの中心を共有する円上に円弧状の孔２９ｄが等間隔を置いて３つ形成されている。
【００３９】
他方、プッシャ―３０は、スライダー２９の受け部材２９ｃとほぼ等しい直径を有する底板３０ａを有する。図２の例では、軽量化のため、三つ又状に形成されているが、円板状に形成されてもよい。そして、底板３０ａの中心から、スライダー２９の中心から孔２９ｄまでの距離と等しい距離に、上方に延びる押し上げ部材３０ｂが設けられている。押し上げ部材３０ｂは、スライダー２９の孔２９ｄと同数であり、底板３０ａの中心を中心とする円周上に等間隔で設けられている。
【００４０】
図示の例では、プッシャ―３０の底板３０ａの中心に、上面に突出する凸部３０ｃが設けられている。この凸部３０ｃはプッシャ―３０がキャップ部２１の底面から突出しない位置に保持されている場合に、スライダー２９の発熱剤保持部２９ｂの底部に当接してスライダー２９を適切な高さに保持したり、プッシャ―３０の底板３０ａの、キャップ部２１の底面に対する位置を設定するために設けられている。凸部３０ｃには、外(下面) に開口する凹部３０ｄが設けられていることが好ましい。
【００４１】
上記構成により、図３に示すように、精子採取器Ｔの完成前（販売前）の状態においては、プッシャ―３０は、各押し上げ部材３０ｂの先端がスライダー２９の各孔２９ｄに挿入され、スライダー２９の方向に移動される。すると、プッシャ―３０の底板３０ａの凸部３０ｄがスライダー２９の発熱剤保持部２９ｂの底部に当り、かつ、プッシャ―３０の押し上げ部材３０ｂの上端部がスライダー２９のカップ部２１の底面に当接した状態でプッシャ―３０が止められる。そのとき、プッシャ―３０の底板３０ａの底面はキャップ部２１の底面と共通の面に存在する。そして、一例としてプラスチック製の下面フィルム３１がプッシャ―３０の底板３０ａとキャップ部２１の底面を被覆するように剥離可能に粘着される。この状態で、市場に提供される。
【００４２】
さて、第２の実施の形態の精子採取器Ｔを使用するときは、図３の下面フィルム３１を剥離し、プッシャ―３０の凹部３０ｄに指先を入れて、図５に示すように、プッシャ―３０を引き出すと、押し上げ部材３０ｂの上端部がスライダー２９に当って、プッシャ―３０は所定の位置に止められる。その状態でプッシャ―３０を本体１０の軸線周りに所定方向に回すと、プッシャ―３０の押し上げ部材３０ｂがスライダー２９の孔２９ｄ内をその長手方向に移動し、押し上げ部材３０ｂの上端部がその孔２９ｄに係合するため、プッシャ―３０はキャップ部２１の底面から突出した状態でスライダー２９に対して上下方向移動不能に固定される。
【００４３】
プッシャ―３０を引き出したときプッシャ―３０が所定の位置に止められ、プッシャ―３０を所定方向に回したときプッシャ―３０がキャップ部２１の底面から突出した状態でスライダー２９に対して上下方向移動不能に固定されるための構成の一例を図７と図８を用いて詳細に説明する。図７の（ａ）は主としてスライダー２９の孔２９ｄの形状を示し、図７の（ｂ）は主としてプッシャ―３０の押し上げ部材３０ｂの形状を示す。また、図８はスライダー２９の孔２９ｄとプッシャ―３０の押し上げ部材３０ｂの作用を示す。
【００４４】
図７に示すように、スライダー２９の各孔２９ｄは、長さの円周方向の一方の半分が幅広に形成され、同じく円周方向の他方の半分が幅狭に形成されている。そして、各孔２９ｄの受け部材２９ｃの中心に関して外側の辺は、共通の円周上に存在するが、各孔２９ｄの幅狭部分２９ｂ２の受け部材２９ｃの中心に関して内側の辺は、それぞれの孔２９ｄの幅広部分２９ｄ1の受け部材２９ｃの中心に関して内側の辺よりも外側の共通の円周上に存在する。
【００４５】
他方、プッシャ―３０の押し上げ部材３０ｂは、スライダー２９の孔２９ｄと同数であり、底板３０ａの中心を中心とする円周上に等間隔で設けられている。また、各押し上げ部材３０ｂの水平断面形状はスライダー２９の孔２９ｄの円弧と同じ曲率の円弧形であるが、円周方向の長さは、スライダー２９の孔２９ｄの長さのほぼ半分の長さである。さらに、各押し上げ部材３０ｂは、図８に示すように、その下端から上端付近まで起立する厚肉部分３０ｂ１と、厚肉部分３０ｂ１の上側に形成されている薄肉部分３０ｂ２と、薄肉部分３０ｂ２の上端部から外側に張り出す屈曲部３０ｂ３とを一体に有している。そして、厚肉部分３０ｂ１の厚みはスライダー２９の孔２９ｄの幅広部分２９ｄ１の幅とほぼ等しく、薄肉部分３０ｂ２の厚みはスライダー２９の孔２９ｄの幅狭部分２９ｂ２の幅とほぼ等しくされている。厚肉部分３０ｂ１と薄肉部分３０ｂ２の外側面は、一つの垂直な湾曲面上に存在し、厚肉部分３０ｂ１の内側面と薄肉部分３０ｂ２の内側面との境界に水平な段面３０ｂ４が形成されている。
【００４６】
上記構成により、精子採取器Ｔの未使用状態においては、図３および図８の（ａ）に示すように、プッシャ―３０の押し上げ部材３０ｂは、その厚肉部分３０ｂ１がスライダー２９の孔２９ｄの幅広部分２９ｄ１に挿通され、薄肉部分３０ｂ２、段面３０ｂ４および屈曲部３０ｂ３はスライダー２９の受け部材２９ｃの上方に位置されている。この状態では、プッシャ―３０はその中心軸回りには回転できないが、下方に引くことはできる。そして、図５に示すように、プッシャ―３０をキャップ部２１から下方に引き出すと、図８の（ｂ）に示すように、押し上げ部材３０ｂの薄肉部分３０ｂ２がスライダー２９の孔２９ｄの幅広部分２９ｄ１に位置するので、プッシャ―３０をその中心軸周りに、図７（ａ）の場合は時計方向に回転することができる。回転すると、図８の（ｃ）に示すように、押し上げ部材３０ｂの薄肉部分３０ｂ２がスライダー２９の孔２９ｄの幅狭部分２９ｂ２に移動し、同時に屈曲部３０ｂ３は孔２９ｄの幅狭部分２９ｂ２を形成している受け部材２９ｃの上面に当接し、かつ、段面３０ｂ４がその受け部材２９ｃの上下に当接する。その結果、プッシャ―３０がスライダー２９に対して上下移動不可能な状態になる。
【００４７】
この状態の精子採取器Ｔをテーブルなどの平坦面に起立状態で置き、本体１０を押し下げる。すると、図６に示すように、プッシャ―３０とスライダー２９が結合されたままキャップ部２１の収容空間２１ｃ内を上昇する。このとき、スライダー２９のカップ部２９ａの周辺が筒状部材２３の基部２３ａの天井壁に密着する位置までスライダー２９が上昇すると、スライダー２９の発熱剤保持部２９ｂの上端部が挿入部２３ｃ上端部の中間フィルム２６ｂを破断するため、挿入部２３ｃ内の水２７が流下する。また、上昇する発熱剤保持部２９ｂの上端部により挿入部２３ｃ内のニードル２８が押し上げられて、ニードルの上端部２８ａが先端フィルム２６ａを破断する。
【００４８】
本体１０の押し下げにより水２７が流下し、発熱剤２４と接触した後は、第１の実施の形態の場合と同じく発熱が開始され、図６に示すように、筒状部材２３の先端から高温の水蒸気３２が本体１０の挿入孔１３ｂの中に噴出し、本体１０の押し下げ時から４〜５分程度の比較短時間に内層部１３を適温に加温することができる。
【００４９】
加温器２０による所定時間の加温が終了した時は、本体１０を一方の手で把持し、加温器２０を他方の手で把持して、本体１０が下側、加温器２０が上側になるように傾け、またはその逆の状態とし、加温器２０を引っ張って本体１０から分離する。分離された加温器２０は、キャップ部２１の底面とプッシャ―３０の底面が共通の面上に存在するので、任意の平面上に筒状部材２３が起立する状態で、すなわち、安定した状態で置くことができる。
【００５０】
こうして、加温器２０が取り外された本体１０は、少なくとも内層部１３が適温を保持した状態で使用可能になる。
【００５１】
[他の実施の形態]
スライダー２９のカップ部２９ａの形状、および発熱剤保持部２９ｂの形状とカップ部２９ａに対する位置関係、プッシャ―３０の形状およびスライダー２９に対する結合構造は、上記の例に限定されない。スライダー２９の移動によって筒状部材２３の挿入部２３ｃ内の水が落下され、発熱剤に接触して発熱作用が行われ、筒状部材２３から水蒸気が本体１０の挿入孔１３ｂの中に噴出される構造を有すれば、任意の形状・構造とすることができる。
【００５２】
また、発熱剤は、上記のように水和反応により発熱するものに代えて、鉄の粉末など酸化反応により発熱するものを使用することもできる。ただし、その場合は、発熱剤を気密性の高い袋に入れ、スライダーを押し上げたときにその袋を破断して酸素と接触させ、その発熱により水を加温して水蒸気を発生させる構造を採用することができる。また、水などの液体を加温するのではなく、摩擦などによりそれ自体が発熱する発熱剤を採用してもよい。その場合、水などの液体は不要となる。
【００５３】
上記の実施の形態では、本体１０と加温器２０とが組み合わされた状態で販売されるが、両者を別々に販売してもよい。また、上述した精子採取器は、採取した精子を医療用などに利用するのが好ましいが、精子を入れたまま、廃却するようにしてもよい。また、本体１０と加温器２０は円柱形状としたが、四角柱形状など他の形状としてもよい。加温器２０内の液体は水としたが、水と他の添加剤を混ぜた混合液としたり、水以外の他の液体としたりしてもよい。
【００５４】
また、筒状部材２３の挿入部２３ｃの長さは挿入孔１３ｂの長さの５０〜６０％程度が好ましいが、４０〜８０％としてもよい。また、挿入部２３ｃは上述したように先端に行くほど細くなるのが好ましいが、概ね先端孔と同じ太さとしてもよい。さらに、挿入部２３ｃは円柱状とされているが、３角柱状など他の形状としてもよい。
【符号の説明】
【００５５】
Ｔ        精子採取器
１０      本体
１１      カバー部
１２      外層部
１３      内層部
２０      加温器
２１      キャップ部
２２      加熱ユニット
２３      筒状部材
２４      発熱剤
２５      発熱開始手段
【図１】
2017046903.tif 000003
【図２】
2017046903.tif 000004
【図３】
2017046903.tif 000005
【図４】
2017046903.tif 000006
【図５】
2017046903.tif 000007
【図６】
2017046903.tif 000008
【図７】
2017046903.tif 000009
【図８】
2017046903.tif 000010
【国際調査報告】
2017046903.tif 000011
2017046903.tif 000012
2017046903.tif 000013
2017046903.tif 000014